(57)【特許請求の範囲】
【請求項１】
カバー板との間に少なくとも一つの羽根室を構成している地板と、前記羽根室内に配置されている少なくとも１枚の羽根と、前記地板に取り付けられていて前記羽根を往復作動させる少なくとも一つの駆動源とを備えていて、前記駆動源は、逃げ孔を有していて前記羽根室外において前記地板に取り付けられ前記地板との間にアクチュエータ室を構成しているモータ枠と、永久磁石を有していて前記アクチュエータ室内で前記地板に回転可能に取り付けられており出力ピンを前記羽根室内で前記羽根に連結している回転子と、二つの脚部を有していて略Ｕ字形をしておりそれらの脚部の先端部を磁極部として前記回転子の外周面に対向させているヨークと、前記ヨークの一方の脚部に嵌装した筒部と該筒部の両端に形成されていてそれらの一部を前記逃げ孔に挿入している二つのフランジ部のほか前記回転子側となるフランジ部から前記一方の脚部の長さ方向に張り出された板状部には前記逃げ孔から前記アクチュエータ室外へ突き出した一つ又は二つの端子ピンを有しているボビンと、前記筒部に巻回され接続端を前記端子ピンに巻き付けているコイルと、回路パターンのランドに設けた孔に前記端子ピンを挿入し該ランドを前記コイルに半田付けされているプリント配線板と、を備えた電磁アクチュエータであって、前記モータ枠は、前記逃げ孔の縁の周辺部位の一部を前記板状部に重ねて前記地板に取り付けられ、前記プリント配線板を上面とし、前記板状部を底面とし、前記逃げ孔の端面と前記回転子側のフランジ部とを側壁とした空間を形成しており、前記半田付け時において前記ランドの孔から前記空間に流れてきたフラックスが、前記空間内に留まるようにしたことを特徴とするカメラ用羽根駆動装置。
【請求項２】
前記板状部が、肉厚部と肉薄部とを有していて、該肉厚部には、前記端子ピンが立設され、該肉薄部の一部には、前記逃げ孔の縁の周辺部位の一部が重ねられており、前記空間は、前記プリント配線板を上面とし、該肉薄部を底面とし、且つ、前記逃げ孔の端面と、前記回転子側のフランジ部と、該肉厚部と肉薄部との段差側面とを前記側壁として形成されていることを特徴とする請求項１に記載のカメラ用羽根駆動装置。
【請求項３】
前記逃げ孔が、前記地板の板面外形端に対応する領域に形成された切欠孔であって、前記半田付け時において前記ランドの孔から前記空間に流れてきたフラックスは、前記地板の板面外方に向けて流れ出し得るようにしたことを特徴とする請求項１又は２に記載のカメラ用羽根駆動装置。
【請求項４】
前記側壁が、前記逃げ孔の端面と前記回転子側のフランジ部のほか、前記板状部に形成された壁部とで形成されていて、前記半田付け時において前記ランドの孔から前記空間に流れてきたフラックスが、前記空間内に留まるようにしたことを特徴とする請求項３に記載のカメラ用羽根駆動装置。
【請求項５】
前記モータ枠と前記板状部とは、両者の重なる部位の少なくとも一方が、肉薄部となるように形成されていることを特徴とする請求項１乃至４のいずれかに記載のカメラ用羽根駆動装置。
【発明の詳細な説明】
【技術分野】
【０００１】
本発明は、シャッタ羽根や絞り羽根などの羽根を電磁アクチュエータで駆動するようにしたカメラ用羽根駆動装置に関する。
【背景技術】
【０００２】
カメラ用の羽根駆動装置としては、レンズシャッタ装置，フォーカルプレンシャッタ装置，絞り装置，フィルタ装置，レンズバリア装置などが知られているが、それらのうち、レンズシャッタ装置，絞り装置，フィルタ装置，レンズバリア装置の場合には、最近では、その殆どが、電磁アクチュエータを駆動源として、１枚又は複数枚の羽根を往復作動させるようにしている。そして、その羽根の往復作動は、回転の場合が殆どであるが、中には、スライドさせるようにしたものもあるし、複数枚のうちの１枚だけをスライドさせ、残りの羽根を回転させるようにしたものもある。また、レンズシャッタ装置，絞り装置，フィルタ装置の場合には、単独でユニット化することもあるが、それらの二つ又は三つを一つのユニットとして構成することもある。そして、複数の装置を一つのユニットに構成する場合は、各々の羽根を、別々の羽根室に配置することもあるし、共通の羽根室に配置することもあるが、電磁アクチュエータは、少なくとも装置の数だけ必要になる。
【０００３】
また、電磁アクチュエータとしては、ステップモータを用いることもあるが、最近では電流制御式のモータを用いるのが一般的である。この電磁アクチュエータは、２極に着磁された永久磁石製の回転子が、固定子コイルに対する電流の供給方向に対応した方向へ回転させられ、その出力ピンによって羽根を往復作動させるようにしたものであるが、現在実施されているものは、固定子の構成の違いにより、二つのタイプに大別することができる。第１のタイプのものは、固定子コイルが、回転子を収容している固定子枠の外側に、回転子の二つの軸受け部を囲むようにして巻回されているものであり、第２のタイプのものは、固定子コイルが、略Ｕ字形をしたヨークに巻回されているものである。
【０００４】
下記の特許文献１には、そのような第１のタイプの電磁アクチュエータを駆動源としたシャッタ装置の一例が実施例１として記載され、また、第２のタイプの電磁アクチュエータを駆動源としているシャッタ装置の一例が実施例２として記載されているが、本発明は、それらのうち、第２のタイプの電磁アクチュエータを駆動源として上記の各種の羽根を往復作動させるようにしたカメラ用羽根駆動装置に関するものである。
【０００５】
【特許文献１】特開２００７−１０１６６０号公報
【発明の開示】
【発明が解決しようとする課題】
【０００６】
特許文献１に記載されている上記の第２のタイプの電磁アクチュエータは、逃げ孔（特許文献１では孔２６ｂ。以下、カッコ内は特許文献１における部材，部位）を有していて地板（地板２１）に取り付けられており地板との間にアクチュエータ室を構成しているモータ枠（モータ枠２６）と、永久磁石（永久磁石３１ａ）を有していて出力ピン（出力ピン３１ｃ）を羽根室内で羽根（シャッタ羽根２４，２５）に連結している回転子（回転子３１）と、略Ｕ字形をしていて二つの脚部の先端部を磁極部として永久磁石の外周面に対向させているヨーク（ヨーク２８）と、ヨークの一方の脚部に嵌装されていてコイル（コイル２９）を巻回している筒部とその筒部の両側に形成されていて一部を上記の逃げ孔に挿入している二つのフランジ部とそれらのフランジ部に形成されていて上記の逃げ孔から外方へ突き出している二つの端子ピンとからなるボビン（ボビン３０）と、で構成されている。
【０００７】
また、周知であるため、特許文献１には記載されていないが、このような構成の電磁アクチュエータは、実際には、モータ枠の外側の面にプリント配線板を取り付けるようにしている。そして、上記の二つの端子ピンは、コイルの接続端を巻き付けた状態のまま、回路パターンのランドに形成された孔を貫通させ、それらの接続端とランドとを、半田によって接合している。
【０００８】
ところで、半田には、通常、フラックスが含有されているが、半田付け時に加熱し溶解すると、そのフラックスは、半田成分よりも粘性が劣ったものとなり、半田成分とは分離し易くなる。また、上記したように、端子ピンは、コイルの接続端を巻き付けた状態のままランドの孔に挿入する必要があるため、挿入した状態においては、両者の間に比較的大きな隙間ができている。そのため、半田付け時には、溶解したフラックスが、多かれ少なかれその隙間からアクチュエータ室側へ流れることになる。そして、流入したフラックスがヨークや回転子に流れて固化すると、回転子の回転に多大な影響を与えてしまうことになる。しかも、そのような事態が生じたときには、電磁アクチュエータを分解しなければならないので、その修復作業が極めて面倒になってしまう。
【０００９】
本発明は、このような問題点を解決するためになされたものであり、その目的とするところは、特別な部材を設けることなく既存の部材の形状を一部工夫するだけで、半田付け時において、プリント配線板のランドの孔から進入してきたフラックスが、アクチュエータ室に流入して、ヨークの磁極部や回転子に付着しないようにしたカメラ用羽根駆動装置を提供することである。
【課題を解決するための手段】
【００１０】
上記の目的を達成するために、本発明のカメラ用羽根駆動装置は、カバー板との間に少なくとも一つの羽根室を構成している地板と、前記羽根室内に配置されている少なくとも１枚の羽根と、前記地板に取り付けられていて前記羽根を往復作動させる少なくとも一つの駆動源とを備えていて、前記駆動源は、逃げ孔を有していて前記羽根室外において前記地板に取り付けられ前記地板との間にアクチュエータ室を構成しているモータ枠と、永久磁石を有していて前記アクチュエータ室内で前記地板に回転可能に取り付けられており出力ピンを前記羽根室内で前記羽根に連結している回転子と、二つの脚部を有していて略Ｕ字形をしておりそれらの脚部の先端部を磁極部として前記回転子の外周面に対向させているヨークと、前記ヨークの一方の脚部に嵌装した筒部と該筒部の両端に形成されていてそれらの一部を前記逃げ孔に挿入している二つのフランジ部のほか前記回転子側となるフランジ部から前記一方の脚部の長さ方向に張り出された板状部には前記逃げ孔から前記アクチュエータ室外へ突き出した一つ又は二つの端子ピンを有しているボビンと、前記筒部に巻回され接続端を前記端子ピンに巻き付けているコイルと、回路パターンのランドに設けた孔に前記端子ピンを挿入し該ランドを前記コイルに半田付けされているプリント配線板と、を備えた電磁アクチュエータであって、前記モータ枠は、前記逃げ孔の縁の周辺部位の一部を前記板状部に重ねて前記地板に取り付けられ、前記プリント配線板を上面とし、前記板状部を底面とし、前記逃げ孔の端面と前記回転子側のフランジ部とを側壁とした空間を形成しており、前記半田付け時において前記ランドの孔から前記空間に流れてきたフラックスが、前記空間内に留まるようにする。
【００１１】
また、前記板状部が、肉厚部と肉薄部とを有していて、該肉厚部には、前記端子ピンが立設され、該肉薄部の一部には、前記逃げ孔の縁の周辺部位の一部が重ねられており、前記空間は、前記プリント配線板を上面とし、該肉薄部を底面とし、且つ、前記逃げ孔の端面と、前記回転子側のフランジ部と、該肉厚部と肉薄部との段差側面とを前記側壁として形成されているようにしてもよい。
【００１２】
そして、それらの場合、前記逃げ孔が、前記地板の板面外形端に対応する領域に形成された切欠孔であって、前記半田付け時において前記ランドの孔から前記空間に流れてきたフラックスは、前記地板の板面外方に向けて流れ出し得るようにしてもよいし、さらにその場合において、前記側壁が、前記逃げ孔の端面と前記回転子側のフランジ部のほか、前記板状部に形成された壁部とで形成されていて、前記半田付け時において前記ランドの孔から前記空間に流れてきたフラックスが、前記空間内に留まるようにしてもよい。また、いずれの場合であっても、前記モータ枠と前記板状部とは、両者の重なる部位の少なくとも一方が、肉薄部となるように形成されているようにすると、装置の薄型化に有利となる。
【発明の効果】
【００１３】
本発明においては、ボビンに設けられている二つのフランジ部のうち、少なくとも回転子側となるフランジ部に板状部を形成し、その板状部に端子ピンを立設すると共に、その板状部と、プリント配線板と、モータ枠とによって囲まれた空間を構成するようにしたから、半田付け時において、プリント配線板のランドの孔からその空間に進入してきたフラックスが、アクチュエータ室に流入してしまい、ヨークの磁極部や回転子に付着してしまうようなことがない。
【発明を実施するための最良の形態】
【００１４】
本発明の実施の形態を、図示した実施例によって説明する。上記したように、本発明は、レンズシャッタ装置，絞り装置，フィルタ装置，レンズバリア装置として、夫々単独で実施することも可能であるし、レンズシャッタ装置，絞り装置，フィルタ装置のうちの二つ又は三つをユニット化したものとして実施することも可能であるが、実施例は、レンズシャッタ装置と絞り装置とをユニットとして構成したものである。また、実施例は、デジタルカメラにも、銀塩フィルムカメラにも採用することが可能であるが、作動説明は、デジタルカメラに採用した場合で説明する。尚、図１は、実施例の平面図であり、図２は、図１の一部拡大図であり、図３は、図２の断面図である。また、図４は、実施例の要部を示した斜視図であり、図５は、その一部の分解斜視図である。更に、図６は、図４と同様にして要部の変形例を示した斜視図である。
【実施例】
【００１５】
先ず、本実施例の構成を説明する。地板１は、合成樹脂製であって比較的厚い部材であり、その両面は複雑な形状をしている。図１に示されているように、この地板１は、外形が円形をしていて、その中央部には円形をした撮影光路用の開口部１ａを有しおり、その開口部１ａの上方位置と、右方のやや下の位置には、貫通孔として形成された円弧状の長孔１ｂ，１ｃを有している。そして、図１において、地板１の表面側には、図示していないレンズの一部を受け入れることができるようにするために、開口部１ａを囲むようにして環状の凹部１ｄが形成されている。また、この地板１の表面側には、地板１よりも外形が僅かに小さい環状のモータ枠２が重ねられ、さらにその上には、モータ枠２と略同じ外形の環状部を有するフレキシブルプリント配線板３が重ねられており、それらは、三つのねじ４，５，６によって地板１に取り付けられている。尚、図１は、モータ枠２とフレキシブルプリント配線板３を一部切除して示してある。また、本実施例では、フレキシブルプリント配線板３を用いているが、比較的薄い硬質のプリント配線板を用いるようにしてもよい。
【００１６】
図１において、地板１の背面側には、地板１と略同じ外形をした中間板７（図３参照）とカバー板８（図３参照）とが、所定の間隔を空けて、図示していない適宜な手段によって、地板１に順に取り付けられており、地板１と中間板７の間、及び中間板７とカバー板８の間に、夫々羽根室を構成している。また、中間板７とカバー板８にも、それらの中央部に、円形をした図示していない撮影光路用の開口部が形成されているが、それらの直径は開口部１ａの直径よりも若干大きいため、本実施例においては、開口部１ａが露光開口を規制するようになっている。
【００１７】
図１において、地板１の背面側には、三つの羽根取付軸１ｅ，１ｆ，１ｇが立設されている。それらのうち、羽根取付軸１ｅ，１ｆは、図３に示されているように、中間板７に形成された孔７ａ，７ｂを貫通し、それらの先端をカバー板８に形成された孔８ａ，８ｂに挿入している。また、図３には示されていない羽根取付軸１ｇも同様にして、中間板７に形成された孔を貫通し、その先端をカバー板８に形成された孔に挿入している。また、図３では図示を省略されているが、図１に示されている２枚のシャッタ羽根９，１０が、地板１と中間板７との間の羽根室に配置され、絞り羽根１１が、中間板７とカバー板８との間の羽根室に配置されている。そして、シャッタ羽根９は、長孔９ａを有していて、上記の羽根取付軸１ｅに回転可能に取り付けられており、シャッタ羽根１０は、長孔１０ａを有していて、上記の羽根取付軸１ｆに回転可能に取り付けられている。また、絞り羽根１１は、長孔１１ａと、開口部１ａよりも直径の小さな絞り開口用の開口部１１ｂとを有していて、上記の羽根取付軸１ｇに回転可能に取り付けられている。
【００１８】
尚、本実施例の場合には、２枚のシャッタ羽根９，１０が備えられているが、周知のように、いずれか一方を大きくし、他方を省くことによって、１枚だけにしてもよい。また、シャッタ羽根９，１０の一方又は両方を、２枚の分割羽根で構成し、３枚又は４枚構成としても構わない。また、本実施例のように、相反する方向へ回転させられる２枚の羽根のほかに、スライドさせられる羽根を加えた３枚構成にしても構わない。そしてさらに、相反する方向へスライドさせられる２枚構成にしても構わない。また、本実施例においては、シャッタ羽根９，１０と絞り羽根１１とを別々の羽根室に配置しているが、それらを一つの羽根室に配置することも知られている。また、レンズシャッタ装置，絞り装置，フィルタ装置を一つのユニットとして構成する場合において、シャッタ羽根，絞り羽根，フィルタ羽根を一つの羽根室に配置することも知られている。そのため、本発明においては、複数の装置をユニット化する場合でも、羽根室は複数とは限らない。
【００１９】
地板１とモータ枠２の間には、地板１の表面を複雑な形状にすることによって、二つのアクチュエータ室が構成されているが、それらのアクチュエータ室の構成と、そこに配置されている部材の構成は、実質的に同じである。そして、図１に示されているように、地板１には、各アクチュエータ室に、回転子取付軸１ｈ，１ｉが立設されていて、それらに、回転子１２，１３が回転可能に取り付けられている。それらのうち、回転子１２は、図３に示されているように、円柱形をしていて２極に着磁された永久磁石部１２ａと、その永久磁石部１２ａに一体成形された合成樹脂製の腕部１２ｂと、その腕部１２ｂの先端に形成された出力ピン１２ｃとからなっていて、その出力ピン１２ｃを、地板１に形成された上記の長孔１ｂに挿入して、シャッタ羽根９，１０に形成された上記の長孔９ａ，１０ａ（図１参照）に嵌合させており、その先端を、中間板７とカバー８に、長孔１ｂと同じ形状に形成された長孔７ｃ，８ｃに挿入している。
【００２０】
他方、もう一方の回転子１３は、上記の回転子１２と全く同じ構成をしていて、２極に着磁された円柱形の永久磁石部１３ａと、合成樹脂製の腕部１３ｂと、その先端に設けられた出力ピン１３ｃとからなっており、その出力ピン１３ｃを、地板１に形成された上記の長孔１ｃと、中間板７に形成された図示していない同じ形状の長孔に挿入して、絞り羽根１１に形成された上記の長孔１１ａに嵌合させており、その先端を、カバー８に、長孔１ｃと同じ形状に形成されている図示していない長孔に挿入している。尚、本実施例の回転子１２，１３は、このように、永久磁石と合成樹脂の一体成形で製作されているが、周知のように、永久磁石だけで製作することも知られている。そのため、本発明の回転子は、本実施例の構成に限定されるものではない。
【００２１】
図１に示されているように、二つのアクチュエータ室の一方には、ヨーク１４と、コイル１５を巻回したボビン１６とが配置されおり、他方には、ヨーク１７と、コイル１８を巻回したボビン１９とが配置されている。また、モータ枠２には、各アクチュエータ室を覆っている領域の一部に、地板１の板面の外形端と対応している側を開いた切欠孔２ａ，２ｂが形成されている。そして、ヨーク１４，１７は、夫々、被位置決め部１４ａ，１７ａと、二つの脚部１４ｂ，１４ｃ，１７ｂ，１７ｃとを有した略Ｕ字形をしていて、それらの脚部１４ｂ，１４ｃ，１７ｂ，１７ｃの先端部を磁極部として、回転子１２，１３の永久磁石部１２ａ，１３ａの外周面に対向させている。
【００２２】
また、ボビン１６，１９は、夫々、ヨーク１４，１７の脚部１４ｂ，１７ｂに嵌装した筒部１６ａ，１９ａと、それらの両端に形成されている二つのフランジ部１６ｂ，１６ｃ,１９ｂ，１９ｃと、各々のフランジ部１６ｂ，１６ｃ,１９ｂ，１９ｃからヨーク１４，１７の脚部１４ｂ，１４ｃ，１７ｂ，１７ｃの長さ方向へ張り出された板状部１６ｄ，１６ｅ，１９ｄ，１９ｅと、各板状部１６ｄ，１６ｅ，１９ｄ，１９ｅに立設された端子ピン１６ｆ，１６ｇ，１９ｆ，１９ｇとを有している。更に、上記のフレキシブルプリント配線板３に形成されている回路パターンは、略円形をした四つのランドを有していて、それらには、上記の端子ピン１６ｆ，１６ｇ，１９ｆ，１９ｇを挿入させた円形の孔３ａ，３ｂ，３ｃ，３ｄが形成されている。そして、それらのランドと、端子ピン１６ｆ，１６ｇ，１９ｆ，１９ｇに巻き付けられたコイル１５，１８の接続端とは、半田２０，２１，２２，２３によって接合されている。
【００２３】
ところで、図１は、装置全体を示したものであるため、各アクチュエータ室の構成とそこに配置されている部材の構成を細部まで理解できるように図示することができない。そこで、上記では説明できなかった構成も含めて、シャッタ羽根９，１０の駆動源となる電磁アクチュエータの要部の構成を、図２〜図５を用いて詳しく説明する。尚、図４及び図５においては、フレキシブルプリント配線板３に形成されている回路パターンの図示が省略されている。
【００２４】
図４に示されているように、アクチュエータ室は、その一部が、地板１の外周部の外側から見えるようになっていて、モータ枠２は、その外周部に設けられた受け部１ｊ，１ｋの上に載っている。このように、アクチュエータ室が、地板１の外周部の外側から見えるようになっているのは、地板１の外径を少しでも小さくしたいからである。図３に示されているように、ヨーク１４は、ボビン１６を一方の脚部１４ｂに嵌装した状態で、地板１に立設された位置決めピン１ｍに上記の被位置決め部１４ａを合わせ、地板１に設けられた押さえ部１ｎと、モータ枠２に設けられた押さえ部２ｃとによって挟持されている。また、ヨーク１４は、地板１に設けられた図示していない部位によって、位置決めピン１ｍを中心にした回転を阻止されているほか、押さえ部１ｎ，２ｃのほかにも、同様の形状をした図示していない押さえ部が、地板１とモータ枠２とに複数ずつ設けられていて、それらによって、ヨーク１４の他の部位が挟持されている。
【００２５】
図５には、ボビン１６のフランジ部１６ｂ，１６ｃの形状が分かり易く示されている。これらのフランジ部１６ｂ，１６ｃは、図３に示された状態において、その一部がモータ枠２の切欠孔２ａに挿入されている。それによって、図３における上下方向の寸法を小さくし、装置の薄型化が図られている。また、本実施例においては、板状部１６ｄ，１６ｅも切欠孔２ａに挿入されている。そして、その切欠孔２ａの形状は、図５に分かり易く示されている。このことからも分かるように、切欠孔２ａは、一種の逃げ孔である。上記したように本実施例では、地板１の外径を少しでも小さくするため、通常は、切欠き形状ではない完全な逃げ孔にするところを、切欠孔２ａとして形成したものである。従って、本発明における逃げ孔は、本実施例のような切欠孔２ａに限定されるものではない。
【００２６】
ボビン１６の板状部１６ｅは、図５から分かるように、肉厚部と、それよりも面積の大きな肉薄部とを有している。そして、その肉薄部は、図３及び図４からも分かるように、その外周部の一部が、モータ枠２の切欠孔２ａの縁の周辺部位と重なっているが、モータ枠２の方も、板状部１６ｅの肉薄部と重なっている部位を肉薄部として形成してある。この図５に示された板状部１６ｅの形状と切欠孔２ａの形状とを念頭において図２を見てみると、板状部１６ｅがヨーク１４を覆っている領域では、板状部１６ｅの肉薄部とモータ枠２の肉薄部とが完全に重なっていることを理解することができる。
【００２７】
尚、本実施例では、端子ピン１６ｆ，１６ｇの立設面が切欠孔２ａの中にあるようにしたいため、板状部１６ｄ，１６ｅを、図３においてフランジ部１６ｂ，１６ｃの上端位置に形成しているが、図３を見れば分かるように、板状部１６ｄ，１６ｅとヨーク１４との間隔には余裕があるので、このように余裕がある場合であって、端子ピン１６ｆ，１６ｇの立設面が切欠孔２ａの中になくてもよい場合には、板状部１６ｄ，１６ｅを、ヨーク１４に近い位置に形成するようにしてもよい。それによって、装置の薄型化が損なわれるようなことはない。また、そのように構成した場合には、本実施例のように、板状部１６ｅとモータ枠２に肉薄部を形成する必要がない場合があるし、いずれか一方にだけ形成するだけでよい場合もある。
【００２８】
ボビン１６は、端子ピン１６ｆ，１６ｇを、コイル１５の接続端を巻き付けた状態にしておいて、フレキシブルプリント配線板３のランドの孔３ａ，３ｂに挿入し、それらの接続端をランドに半田付けしている。そして、その半田付け作業は、当然のことながら、図３に示されているように、フレキシブルプリント配線板３を上側にし、カバー板８を下側にして行われる。しかしながら、図２から分かるように、端子ピン１６ｆ，１６ｇと孔３ａ，３ｂの縁との間には、比較的大きな隙間が空いているので、半田を過熱した際に、フラックスが、その隙間から板状部１６ｄ，１６ｅ側に流れ込んでくる。
【００２９】
ところが、本実施例の場合は、フレキシブルプリント配線板３と板状部１６ｅの肉薄部との間に、板状部１６ｅの肉厚部に形成されている肉薄部との段差側面と、フランジ部１６ｃと、切欠孔２ａの端面とを壁とした空間が形成されていて、図２及び図４から分かるように、地板１の外側方向、即ち図２の下方が解放されているように構成されているため、孔３ｂから板状部１６ｅ側に流れ込んできたフラックスは、多量であっても、ヨーク１４に流れ落ちることがなく、地板１の外側方向へ流れ出すようになっている。そのため、本実施例では、フラックスが、アクチュエータ室内に落下して、ヨーク１４の脚部１４ｂの磁極部や、その磁極部と僅かな間隔で配置されている回転子１２に付着し、固化してしまうようなことがない。他方、孔３ａから板状部１６ｄ側に流れ込んできたフラックスは、ヨーク１４に流れ落ちることがあるが、磁極部までは達しないので問題にするほどではない。しかし、問題がある場合には、板状部１６ｅ側の構成と同じ構成を採用すればよい。
【００３０】
上記のように、本実施例は、孔３ｂから板状部１６ｅ側に流れ込んできたフラックスが、ヨーク１４に流れ落ちることなく、地板１の外側方向へ流れ出し得るように構成しているが、本発明は、図６に示されている変形例のように、板状部１６ｅに壁部１６ｈを形成し、フラックスが、上記の空間に溜まり、そこで固化してしまうようにしても差し支えない。更に、本発明は、モータ枠２に、本実施例のような切欠孔２ａではなく、上記したような完全な孔形状の逃げ孔を形成しても構わないので、そのようにする場合には、逃げ孔の端面の一部に、変形例における壁部１６ｈの役目をさせるようにすることによって、孔３ｂから板状部１６ｅ側に流れ込んできたフラックスを、上記の空間内に溜め、そこで固化させることになる。
【００３１】
次に、本実施例の作動を説明する。図１に示された状態は、カメラの電源がオンになっているが、二つのアクチュエータのコイル１５，１８には通電されていない状態である。このとき、周知の手段によって、回転子１２，１３には時計方向へ回転する力が付与されている。そのため、出力ピン１２ｃによって、シャッタ羽根９は時計方向へ回転する力が付与され、シャッタ羽根１０は反時計方向へ回転する力が付与されているが、図示していないストッパによって、この状態が維持されている。また、絞り羽根１１は、反時計方向へ回転する力が付与されているが、図示していないストッパによって、この状態を維持されている。そのため、この状態においては、開口部１ａ（露光開口）は全開となっていて、液晶表示装置によって被写体像を観察できるようになっている。
【００３２】
撮影に際してレリーズボタンが押されると、先ず測光装置によって被写体光が測定され、被写体光が比較的暗い場合には、シャッタ９，１０だけが作動させられ、被写体光が比較的明るい場合には、最初に、絞り羽根１１が作動させられ、続いてシャッタ羽根９，１０が作動させられる。そして、いずれの場合にも、シャッタ羽根９，１０の作動は同じであるため、以下の作動説明では、重複を避けるために、被写体光が比較的明るい場合だけを説明する。
【００３３】
先ず、絞り羽根１１を作動させるためには、コイル１８に対して、順方向に電流が供給される。そのため、回転子１３は、反時計方向へ回転させられ、出力ピン１３ｃによって絞り羽根１１を時計方向へ回転させる。そのため、絞り羽根１１は、開口部１ａに進入して行き、その開口部１１ｂの中心が開口部１ａの中心に一致したとき、図示していないストッパに当接して停止させられる。それによって、固体撮像素子Ｃの受光量が減じられたことになる。
【００３４】
次に、その状態で、固体撮像素子に蓄積されていた電荷が放出される。それによって、それ以後は、撮影のための露光が開始され、新たな電荷の蓄積が行われていく。そして、露光時間制御回路によって制御された所定の時間が経過すると、その終了信号によって、コイル１５に対し、順方向の電流が供給される。そのため、回転子１２は、反時計方向へ回転させられ、出力ピン１２ｃによって、シャッタ羽根９を反時計方向へ、シャッタ羽根１０を時計方向へ回転させる。そして、絞り羽根１１の開口部１１ｂを閉鎖すると、その直後に、シャッタ羽根９，１０は、図示していないストッパに当接して停止させられる。
【００３５】
その後、固体撮像素子に蓄積された撮像情報が記憶装置に転送されると、コイル１５，１８に対して逆方向の電流が供給され、回転子１２，１３は、時計方向へ回転させられる。そして、一方の、回転子１２が時計方向へ回転すると、出力ピン１２ｃによって、シャッタ羽根９は時計方向へ回転させられ、シャッタ羽根１０は反時計方向へ回転させられ、開口部１ａを開いていく。そして、その開き作動は、開口部１ａを全開にした直後に、シャッタ羽根９，１０が図示していないストッパに当接することによって停止させられる。他方、絞り羽根１１は、回転子１３が時計方向へ回転すると、出力ピン１３ｃによって、反時計方向へ回転させられ、開口部１ａから退いていく。そして、その作動は、絞り羽根１１が開口部１ａから完全に退いた直後に、図示していないストッパに当接して停止させられる。その後、コイル１５，１８に対する通電が断たれると、図１に示した状態になり、次の撮影に備えることになる。
【００３６】
尚、上記の作動説明は、デジタルカメラに採用された場合で説明したが、フィルムカメラに採用された場合には、シャッタ羽根９，１０は、撮影前は、開口部１ａを閉じた状態にあり、撮影に際しては、開口部１ａを全開にしてから、閉じ状態に復帰するようにする。また、本実施例は、レンズシャッタ装置と絞り装置とを一つのユニットとして構成したものであるが、上記したように、本発明は、それらを単独で構成しても構わない。その場合、レンズシャッタ装置は、そのままの構成でレンズバリア装置とすることができるし、絞り装置の場合には、絞り羽根１１の開口部１１ｂをＮＤフィルタシートで覆うことによってフィルタ装置とすることができる。
【００３７】
更に、本実施例の場合には、端子ピン１６ｆを板状部１６ｄに立設しているが、板状部１６ｅの面積を大きくすることによって、端子ピン１６ｇと共に、その板状部１６ｅに立設するようにしても構わない。
【図面の簡単な説明】
【００３８】
【図１】実施例の平面図である。
【図２】図１の一部拡大図である。
【図３】図２の断面図である。
【図４】実施例の要部を示した斜視図である。
【図５】実施例の要部を示した分解斜視図である。
【図６】図４と同様にして要部の変形例を示した斜視図である。
【符号の説明】
【００３９】
１                                  地板
１ａ，１１ｂ                        開口部
１ｂ，１ｃ，７ｃ，８ｃ，９ａ，１０ａ，１１ａ     長孔
１ｄ                                凹部
１ｅ，１ｆ，１ｇ                    羽根取付軸
１ｈ，１ｉ                          回転子取付軸
１ｊ，１ｋ                          受け部
１ｍ                                位置決めピン
１ｎ，２ｃ                          押さえ部
２                                  モータ枠
２ａ，２ｂ                          切欠孔
３                                  フレキシブルプリント配線板
３ａ，３ｂ，３ｃ，３ｄ，７ａ，７ｂ，８ａ，８ｂ   孔
４，５，６                          ねじ
７                                  中間板
８                                  カバー板
９，１０                            シャッタ羽根
１１                                絞り羽根
１２，１３                          回転子
１２ａ，１３ａ                      永久磁石部
１２ｂ，１３ｂ                      腕部
１２ｃ，１３ｃ                      出力ピン
１４，１７                          ヨーク
１４ａ，１７ａ                      被位置決め部
１４ｂ，１４ｃ，１７ｂ，１７ｃ      脚部
１５，１８                          コイル
１６，１９                          ボビン
１６ａ，１９ａ                      筒部
１６ｂ，１６ｃ，１９ｂ，１９ｃ      フランジ部
１６ｄ，１６ｅ，１９ｄ，１９ｅ      板状部
１６ｆ，１６ｇ，１９ｆ，１９ｇ      端子ピン
１６ｈ                              壁部
２０，２１，２２，２３              半田
【図１】
0004958704.tif 000002
【図２】
0004958704.tif 000003
【図３】
0004958704.tif 000004
【図４】
0004958704.tif 000005
【図５】
0004958704.tif 000006
【図６】
0004958704.tif 000007